(57)【要約】【課題】  新たな制御情報あるいは保護方法を用いることなく、確実に印刷許可の制御を行うことができる装置および方法を提供すること。【解決手段】  デジタル情報の印刷を制御する際、「コピー可」、「一世代コピー可」、「再コピー禁止」、「コピー禁止」等のデジタル情報に付加されているコピー制御情報を検出し、検出されたコピー制御情報によって専用の制御情報あるいは方式を用いることなくデジタル情報に印刷を行うか否かの制御を行う。印刷の成否に関する情報を出力することで印刷失敗時の対応が可能となり使い勝手が向上する。【選択図】  図１
2005150987.tif 000002
【特許請求の範囲】
【請求項１】
コピー制御情報が付加されたデジタル情報を受信して出力する受信装置において、
前記デジタル情報を受信する受信手段と、
前記デジタル情報から静止画情報を抽出する抽出手段と、
前記抽出された静止画情報を記録する記録再生手段と、
前記記録再生手段より再生された静止画情報に印刷装置における印刷を制御可能な情報として前記コピー制御情報を付加して出力する第１の出力手段と、
印刷装置から印刷の成否に関する情報が入力される入力手段と、
前記入力手段により入力された印刷の成否に関する情報を出力する第２の出力手段と
を備えてなることを特徴とする受信装置。
【請求項２】
前記入力手段において入力される情報により印刷装置における印刷が失敗したことを検出したときに前記第１の出力手段を制御して再度印刷を行なうか否かを設定する設定手段を備えることを特徴とする請求項１に記載の受信装置。
【請求項３】
前記静止画情報を印刷用データに変換する変換手段を備え、
前記第１の出力手段は、前記印刷用データにコピー制御情報を付加して出力することを特徴とする請求項１に記載の受信装置。
【請求項４】
前記第１の出力手段は、前記静止画情報をコピー制御情報に応じて暗号化して出力することを特徴とする請求項１に記載の受信装置。
【請求項５】
前記デジタル情報はデジタル映像情報であることを特徴とする請求項１に記載の受信装置。
【請求項６】
入力されたデジタル情報を印刷する印刷装置において、
コピー制御情報が付加されたデジタル情報を入力する入力手段と、
前記入力されたデジタル情報を印刷する印刷手段と、
前記デジタル情報に付加されているコピー制御情報を検出し、検出されたコピー制御情報によって前記印刷手段における印刷の制御を行う制御手段と、
前記印刷手段における印刷の成否を判定する判定手段と、
を備えたことを特徴とする印刷装置。
【請求項７】
前記制御手段は、前記判定手段において印刷が正常に終了したと判定される場合には、印刷装置に入力されたデジタル情報を削除することを特徴とする請求項６に記載の印刷装置。
【請求項８】
前記制御手段は、前記判定手段において印刷中に異常が生じたと判定される場合には、印刷装置に入力されたデジタル情報を再度印刷することを特徴とする請求項６に記載の印刷装置。
【請求項９】
印刷が正常に終了したか否かを表す表示手段を備え、前記表示手段は、前記判定手段における判断に基づいて情報を表示することを特徴とする請求項６に記載の印刷装置。
【請求項１０】
前記判定手段は、印刷データを出力したデジタル情報出力装置に対して印刷の成否に関する情報を通知することを特徴とする請求項６に記載の印刷装置。
【請求項１１】
前記制御手段は、前記コピー制御情報がコピーを許す場合には印刷を行い、コピーを許さない場合には印刷を行わないように前記印刷手段を制御することを特徴とする請求項６に記載の印刷装置。
【請求項１２】
コピー制御情報が付加されたデジタル情報の印刷を制御する印刷制御方法において、
前記デジタル情報に付加されているコピー制御情報を検出し、
検出された前記コピー制御情報によって前記デジタル情報の印刷を行うか否かを制御し、
前記印刷の成否を判定することを特徴とする印刷制御方法。
【請求項１３】
前記コピー制御情報がコピーを許す場合には印刷を行い、コピーを許さない場合には印刷を行わないことを特徴とする請求項１２に記載の印刷制御方法。
【請求項１４】
前記コピー制御情報が印刷を許可しないものであることを検出したときには、前記デジタル情報が印刷できないこと旨を通知することを特徴とする請求項１２に記載の印刷制御方法。
【請求項１５】
前記デジタル情報の印刷における印刷データは「移動」により転送されるデータであることを特徴とする請求項１２に記載の印刷制御方法。
【請求項１６】
前記コピー制御情報が「移動」を許す「コピー可」、「一世代コピー可」および「再コピー禁止」の場合には印刷を行い、「移動」を許さない「コピー禁止」の場合には印刷を行わないことを特徴とする請求項１２に記載の印刷制御方法。
【請求項１７】
前記デジタル情報を一時的に蓄積し、
蓄積されたデジタル情報の印刷の選択画面を表示し、
選択されたデジタル情報について印刷することを特徴とする請求項１２に記載の印刷制御方法。
【発明の詳細な説明】
【技術分野】
【０００１】
本発明は、デジタル映像情報を印刷制御する受信装置および印刷装置に係り、特に著作権などの管理を適切に行うことのできる装置および方法に関する。
【背景技術】
【０００２】
デジタル放送などによって伝送された静止画データあるいはテレビサービスから抽出した静止画像などのデジタル映像情報を印刷して保存あるいは確認できるようにすればユーザの使い勝手を向上させることができる。しかし、映像の著作権者が印刷を認めない、あるいは、印刷できる回数などを制限したいものもあり、印刷を制御できるようにする必要がある。
【０００３】
デジタル放送などによって伝送されたデジタル映像情報の印刷を制御する方法としては、印刷許可フラグを新たに設けることが考えられている。（例えば、特許文献１参照）
記録装置等でのコピー制御のためにはＣＧＭＳ等のコピー制御情報が使われてきたが、上記従来の技術では、コピー制御情報では考慮されていない印刷の制御を行うために、新たに印刷許可フラグを設けて印刷の制御を行っている。
【０００４】
【特許文献１】特開２００１−８６４５２号公報（第４−５頁、図１）
【発明の開示】
【発明が解決しようとする課題】
【０００５】
上記従来の技術に開示される事項は、確実に印刷の制御を行うことができるが、新たな情報の伝送が必要である。また、著作権などの保護のためには、印刷するためのデジタル映像情報を印刷装置に伝送する時にも、不正な抜き取りを防止するために情報の保護を行うことが必要となる。しかしながら、上記従来の技術では伝送時の情報の保護については何ら考慮されていない。
【０００６】
本発明においては、上記した問題に鑑み、新たな制御情報あるいは保護方法を用いることなく印刷許可の制御を容易に行うことができ、かつ、情報の保護が可能な装置および方法を提供することものである。さらに、上記目的を達成しつつも、確実に印刷を行い、ユーザの使い勝手を向上する必要がある。
【課題を解決するための手段】
【０００７】
上記目的を達成するため、コピー制御情報が付加されたデジタル情報を受信して出力する受信装置において、前記デジタル情報を受信する受信手段と、前記デジタル情報から静止画情報を抽出する抽出手段と、前記抽出された静止画情報を記録する記録再生手段と、前記記録再生手段より再生された静止画情報に印刷装置における印刷を制御可能な情報として前記コピー制御情報を付加して出力する第１の出力手段と、印刷装置から印刷の成否に関する情報が入力される入力手段と、前記入力手段により入力された印刷の成否に関する情報を出力する第２の出力手段とを備えてなる構成とした。また、入力されたデジタル情報を印刷する印刷装置において、コピー制御情報が付加されたデジタル情報を入力する入力手段と、前記入力されたデジタル情報を印刷する印刷手段と、前記デジタル情報に付加されているコピー制御情報を検出し、検出されたコピー制御情報によって前記印刷手段における印刷の制御を行う制御手段と、前記印刷手段における印刷の成否を判定する判定手段と、を備えた構成とする。
【発明の効果】
【０００８】
本発明によれば、印刷時の著作権保護においてユーザの使い勝手を向上させることができる。
【発明を実施するための最良の形態】
【０００９】
以下、本発明の実施例を、図面を用いて詳細に説明する。
【実施例１】
【００１０】
まず本発明を適用するシステム全体から述べる。図１は、本発明の受信装置および印刷装置が用いられるシステム全体の第１の実施例を示すブロック図である。放送局などの情報提供局１から中継局２を介して放送された情報を受信装置３で受信し、第１の記録再生装置４、第２の記録再生装置６で記録再生し、印刷装置７で印刷を行い、また、ディスプレイ５で視聴するものである。
【００１１】
放送局など情報提供局１は、例えば放送用衛星などの中継局２を介して、情報によって変調された信号電波として伝送する。この他に、ケーブルによる伝送、電話線による伝送、地上波放送による伝送などを用いても良い。受信側の受信装置３は、信号を受信し復調した後、必要に応じ第１の記録再生装置４、第２の記録再生装置６へ記録する。また、ディスプレイ５により、受信した情報内容を直接に、または上記した第１あるいは第２の記録再生装置４，６で再生された情報を視聴する。受信した情報あるいは記録再生装置に記録されている情報を印刷したい場合には、印刷装置７で印刷する。
【００１２】
第１の記録再生装置４は、受信装置３に内蔵されるデジタル記録方式によるものとする。その記録媒体には、例えばハードディスクが利用できる。また、メモリ記録媒体のようなものでもよい。第２の記録再生装置６は、ここでは受信装置３に外付けされる。記録媒体は、ハードディスクの他、磁気テープ、光ディスクのように取り外しのできる媒体でも良い。
【００１３】
放送された情報には、記録再生装置での記録を制御するためのコピー制御情報が付加されている。放送された情報に付加されたコピー制御情報が「コピー可」（Copy Free）であれば、第１の記録再生装置４あるいは第２の記録再生装置６において制限なく記録することができるが、コピー制御情報が、「コピー禁止」（Copy Never）または「一世代コピー可」（Copy One Generation）であれば、後述するように記録が制限される。さらに、印刷装置７における印刷においても、コピー制御情報が「コピー可」であれば、著作権などの保護は主張されていないと判断して制限なく印刷できるが、コピー制御情報が、「コピー禁止」または「一世代コピー可」であれば、記録と同様に印刷も制限する。
【００１４】
図１の例では、２台の記録再生装置と１台の印刷装置を有するが、これに限定されない。すなわち装置の台数、または内蔵されるか外付けであるかに関わらず、本発明は適用可能である。また本発明は、受信した情報を記録再生あるいは印刷するシステムにのみ適用されるものではない。予め情報を記録したパッケージソフトを再生する場合はもちろん、単に現在放送中の情報を受信してディスプレイ５に出力する場合、またＰＣ（Personal Computer）などにおいて記録あるいは印刷する場合にも適用できる。
【００１５】
図２は、図１における情報提供局１の構成例を示すブロック図である。カメラ、記録再生装置などから成るソース発生部１１で発生した映像・音声などの情報は、より少ない占有帯域で伝送できるよう、エンコード回路１２でＭＰＥＧ方式等によりデータ量の圧縮が施される。コピーの制限等の保護が必要な場合は、スクランブル回路１３で伝送暗号化される。変調回路１４で伝送するのに適した信号に変調された後、送信アンテナ１５から、例えば放送用衛星などの中継局２に向けて電波として発射される。この際、管理情報付与回路１６では、前記したコピー制御情報などを付加する。また入力端子１７には、例えばビデオオンデマンドにおける受信側からのリクエスト情報が電話回線などを介して入力され、これに応えて送出する情報を決定する。
【００１６】
なお、送信する電波信号には、複数の情報が、時分割、スペクトル拡散などの方法で多重されることが多い。この場合には、ソース発生部１１とエンコード回路１２の系統が複数個あり、エンコード回路１２とスクランブル回路１３との間に、複数の情報を多重するマルチプレクス回路が置かれる。
【００１７】
図３は、図１のシステムにおける受信装置３の構成例を示すブロック図である。図中の実線は受信した映像音声など主となる情報の流れを、また破線は各構成要素間の制御信号情報の流れを示す。
【００１８】
まず、本実施例の構成を、実線で示した映像音声などの主情報の流れに沿って説明する。ＲＦ／ＩＦ変換回路３０１には、例えば放送用衛星などの中継局からの電波が入力される。ここで、ＲＦ帯域の電波はＩＦ帯域（Intermediate Frequency）に周波数変換され、また受信チャンネルに依存しない一定の帯域の信号となり、復調回路３０２で伝送のために施された変調操作が復調される。さらに誤り訂正回路３０３で、伝送途中で発生した符号の誤りが検出さらには訂正された後、デスクランブル回路３０４で伝送暗号の解除を行う。その後、第１および第２のデマルチプレクス回路３０５，３０７へ送られる。デマルチプレクス回路３０５，３０７は、１つのチャンネルに多重された複数の情報から所望の情報だけを分離する。２つのデマルチプレクス回路を設ける理由は、いわゆる裏番組記録を可能にするのみならず、第１のデマルチプレクス回路３０５で、記録しない情報を除去、及び記録のための情報を付加するためである。例えば、天気予報、番組の放送予定など、記録する必要のないものはここで除去する。
【００１９】
第１のデマルチプレクス回路３０５の出力は、第１の記録再生装置４へ与えられるとともに、入出力回路３１５Ａへも与えられる。入出力回路３１５Ａには、入出力端子３０６Ａを介して、第２の記録再生装置６が接続される。また、第１の記録再生装置４から再生された出力は、入出力回路３１５Ｂへ与えられる。入出力回路３１５Ｂには、入出力端子３０６Ｂを介して、印刷装置７が接続される。
【００２０】
入出力回路３１５Ａ，３１５Ｂは、例えば双方向の入出力インターフェースであって、第２の記録再生装置６，印刷装置７との間で、記録再生あるいは印刷する情報や装置を制御のためのコマンドなどをデジタルデータで授受する。一般にはＩＥＥＥ１３９４規格による接続が多く用いられる。またＰＣで多用されるＵＳＢ（Universal Serial Bus）接続であっても良いし、無線ＬＡＮ（Local Area Network）などを用いて無線で接続しても良い。また、ＩＥＥＥ１３９４規格のように複数種類の情報を伝送できる場合には、入出力回路３１５Ａ，３１５Ｂを同一の入出力回路及び入出力端子で兼用してもよい。さらに、入出力回路を多数個設けても良く、あるいは仕様の異なる複数の入出力インターフェースを使用しても良い。
【００２１】
第１及び第２の記録再生装置４，６においては、コピー制御情報に従って記録動作を行う。コピー制御情報が、「コピー禁止」を示すならば、記録を行わない。「一世代コピー可」であるならば、これを「再コピー禁止」（No More Copies）と書換えたうえで記録を行う。「再コピー禁止」を示すならば、記録を行わない。「コピー可」であるならば、そのまま記録を行う。この他に、記録媒体がハードディスクなどの取り外しできないものの場合など、記録した装置でのみしか再生できないようになっている場合には、コピー禁止でありながら再生利用する期間に制限を付けて、例えば９０分までしか再生利用できないようにして、「一時記録」すること、「再コピー禁止」でありながら元の記録されている情報を再生不能にすることを条件に情報を「移動」すること、および、一世代コピー可の情報を記録した時に制限期間内、例えば９０分以内であれば一世代コピー可のままで再生出力することを認める。
【００２２】
第２の記録再生装置６のような外部の記録再生機器において上記のようなコピーの制御を行うために、入出力回路は、記録する情報に上記のようなコピー制御情報を付加して出力する。さらに、不正な抜き取りなどを防止するために、必要に応じて情報を暗号化して出力する。
【００２３】
第２のデマルチプレクス回路３０７には、デスクランブル回路３０４から送られた情報、第１の記録再生装置４で再生された情報、あるいは入出力回路３１５Ａを経由して第２の記録再生装置６Ａで再生された情報が入力されており、これらから所望の情報が選択・分離される。次のデコード回路３０８では、伝送前に施されたＭＰＥＧ方式等によるデータ圧縮に対する伸張処理がなされ、出力端子３０９，３１０を介して外部の装置へ送られる。出力端子３０９，３１０はデジタル出力、アナログ出力いずれの場合もあり、また前者をデジタル出力、後者をアナログ出力と使い分けることもできる。出力端子は１個としても良い。
【００２４】
次に、図３における構成を破線で示した制御信号に沿って述べる。制御回路３１１は、上記したＲＦ／ＩＦ変換回路３０１から第１、第２のデマルチプレクス回路３０５，３０７、デコード回路３０８、さらに入出力回路３１５Ａ，３１５Ｂに至る各構成要素との間で制御信号の授受を行い、受信装置３の全体が所望の動作を行うように制御する。情報管理回路３１２は、制御回路３１１に対し制御を行うための管理データを要求に応じて供給する。例えば、ここには受信契約の情報が管理されている。ユーザが視聴したいチャンネルを指定した時、この指定は入力端子３１４から入力され、コマンド入力回路３１３を介して制御回路３１１に送られる。制御回路３１１は情報管理回路３１２に、受信契約情報を要求する。ユーザが指定したチャンネルと契約があると判断した場合、上記した各構成要素に制御信号を送り、該当チャンネルの受信動作を指示するなどの制御動作を行う。また、制御回路３１１において、コピー制御情報の検出、検出したコピー制御情報に応じたコピーの制御や出力する情報に付加するコピー制御情報の生成を行う。
【００２５】
次に、印刷の制御について述べる。印刷する情報としては、データサービスなどで印刷の目的のために伝送された静止画情報と、テレビサービスのような視聴のために伝送された映像情報から印刷のために抽出した静止画情報が有る。前者の場合には、第１のデマルチプレクス回路３０５で分離された静止画情報が第１の記録再生装置４に記録される。また、後者の場合は、伝送あるいは再生されている映像情報からユーザが印刷のために選択した箇所を静止画像として抽出し、第１の記録再生装置４に記録される。記録された静止画情報は、一旦制御回路３１１に読み込まれて印刷用データに変換された後に、第２の入出力回路３１５Ｂより印刷装置７に出力されて印刷される。なお、印刷用データへの変換を行わないで出力し、印刷装置７において印刷用データに変換するようにしてもよい。また、印刷の目的のために静止画情報を伝送する場合には、印刷用データそのものを伝送するようにしてもよい。この場合には、印刷用データへの変換は不要になる。
【００２６】
なお、映像情報からの静止画情報の抽出は、記録再生装置４に常に一定時間の映像情報を記録しておき、ユーザが印刷を選択した時点から一定時間前までの記録再生装置４に記録されている映像情報から抽出する箇所をユーザが選べるようにしておけば、より使い勝手を良くすることができる。
【００２７】
印刷の制御も、表１のようにコピー制御情報（Copy Control Information）によって行う。
【００２８】
【表１】
2005150987.tif 000003
【００２９】
ＣＣＩ（Copy Control Information）は、２ビットの情報で、「００」の時は「コピー可(Copy free)」を表し、「１０」の時は、「一世代コピー可(Copy one generation)」を表し、「０１」の時は、「再コピー禁止(No more copies)」、すなわち一世代のみコピーできる情報がコピーされたものであることを表し、「１１」の時は「コピー禁止(Copy never)」を表す。なお、「再コピー禁止」は、放送などの送信時には用いられない。ＣＣＩが「００」以外の時は、出力時に暗号化して伝送することにより、不正なコピーがなされた時に情報を保護する。ＥＰＮは、１ビットの情報で、この情報が「０」の時は、コピーの制限はないが、暗号化して伝送することを表す。これにより、正規の記録機器でのコピー以外の不正使用から情報を保護する。このうち、コピーが許されている「コピー可」あるいは「一世代コピー可」の時には印刷可とし、コピーが禁止されている「再コピー禁止」あるいは「コピー禁止」の時には印刷不可とすることにより、コピーと同様に印刷も制御することができる。
【００３０】
「コピー可」のコピー制御情報が付加されて伝送された時は、記録再生装置４に記録された静止画情報は「コピー可」の状態で出力されるので、制限なく印刷できる。一方、「一世代コピー可」のコピー制御情報が付加されて伝送された時は、記録再生装置４に記録された静止画情報は制限期間内であれば「一世代コピー可」の状態で出力されるので印刷可能であるが、制限期間以降は「再コピー禁止」の状態で出力されるので、印刷できなくなる。すなわち、印刷できる期間が制限される。さらに、制限期間以降であっても、「移動」によって出力すれば「一世代コピー可」の状態で出力されるので印刷可能であるが、元の情報は再生不能になるので、印刷回数が一回に制限される。このように、コピー制御情報によって、コピー制御と同様に、制限のない印刷、制限された印刷、印刷不可の制御を行うことができる。
【００３１】
表２は、コピー制御情報の他の実施例である。
【００３２】
【表２】
2005150987.tif 000004
【００３３】
ＩＣＴは、アナログ映像出力解像度を制限するための情報であり、この情報が「０」の時は解像度を制限する。印刷においても、この情報によって印刷解像度を制限すれば、解像度の制限、すなわち、高解像度での印刷の制限も行うことができる。
【００３４】
図４は、印刷装置７の構成例を示すブロック図である。入出力端子７１から入力された印刷用データは、入出力回路７２を介してバッファ７３に書き込まれ、バッファ７３から読み出されたデータを印刷回路７４に送られて印刷される。入出回路７２では、伝送された情報からコピー制御情報を抽出して制御回路７５に送る。そして、制御回路では、コピー制御情報に応じて印刷を行うか行わないかの制御を行う。また、解像度の制限がある場合は印刷解像度を制限する。なお、暗号化されて伝送された場合には、入出力回路７２において暗号の復号を行う。
【００３５】
この実施例によれば、印刷を許可する場合であっても、その解像度を制限することにより、実質的に著作権を保護することができる。
【実施例２】
【００３６】
図５は、本発明の受信装置および印刷装置が用いられるシステム全体の第２の実施例を示すブロック図である。第１の実施例と比べ、受信装置８が第１の記録再生装置４を含まないことが異なる。受信装置８以外は図１と同様であるので、ここでの説明は省略する。
【００３７】
図６は、本発明の第２の実施例における受信装置８の構成を示したブロック図である。図中の実線は映像および音声など主たる情報の流れをあらわし、図中の破線は制御信号の流れを表すものである。まず、本実施例の構成を、実線で示す映像音声などの主情報の流れに沿って説明する。
【００３８】
ＲＦ／ＩＦ変換回路６０１には、例えば放送用衛星などの中継局からの電波が入力される。ここで、ＲＦ帯域の電波はＩＦ帯域（Intermediate Frequency）に周波数変換され、また受信チャンネルに依存しない一定の帯域の信号となり、復調回路６０２で伝送のために施された変調操作が復調される。さらに誤り訂正回路６０３で、伝送途中で発生した符号の誤りが検出さらには訂正された後、デスクランブル回路６０４で伝送暗号の解除を行う。その後、デマルチプレクス回路６０５へ送られる。デマルチプレクス回路６０５は、１つのチャンネルに多重された複数の情報から所望の情報だけを分離する。
【００３９】
デマルチプレクス回路６０５の出力は、印刷バッファへ与えられるとともに、入出力回路６１５Ａへも与えられる。入出力回路６１５Ａには、入出力端子６０６Ａを介して、第２の記録再生装置６が接続される。また、印刷バッファからの出力は、入出力回路６１５Ｂへ与えられる。入出力回路６１５Ｂには、入出力端子６０６Ｂを介して、印刷装置７が接続される。
【００４０】
入出力回路６１５Ａ，６１５Ｂは、例えば双方向の入出力インターフェースであって、第２の記録再生装置６，印刷装置７との間で、記録再生あるいは印刷する情報や装置を制御のためのコマンドなどをデジタルデータで授受する。一般にはＩＥＥＥ１３９４規格による接続が多く用いられる。またＰＣで多用されるＵＳＢ（Universal Serial Bus）接続であっても良いし、無線ＬＡＮ（Local Area Network）や有線ＬＡＮを用いて接続してもよい。また、ＩＥＥＥ１３９４規格のように複数種類の情報を伝送できる場合には、入出力回路８１５Ａ，８１５Ｂを同一の入出力回路及び入出力端子で兼用してもよい。さらに、入出力回路を多数個設けても良く、あるいは仕様の異なる複数の入出力インターフェースを使用しても良い。
【００４１】
第２の記録再生装置６においては、コピー制御情報に従って記録動作を行う。コピー制御情報が、「コピー禁止」を示すならば、記録を行わない。「一世代コピー可」であるならば、これを「再コピー禁止」（No More Copies）と書換えたうえで記録を行う。「再コピー禁止」を示すならば、記録を行わない。「コピー可」であるならば、そのまま記録を行う。この他に、記録媒体がハードディスクなどの取り外しできないものの場合など、記録した装置でのみしか再生できないようになっている場合には、コピー禁止でありながら再生利用する期間に制限を付けて、例えば９０分までしか再生利用できないようにして、「一時記録」すること、「再コピー禁止」でありながら元の記録されている情報を再生不能にすることを条件に情報を「移動」すること、および、一世代コピー可の情報を記録した時に制限期間内、例えば９０分以内であれば一世代コピー可のままで再生出力することを認める。
【００４２】
第２の記録再生装置６のような外部の記録再生機器において上記のようなコピーの制御を行うために、入出力回路は、記録する情報に上記のようなコピー制御情報を付加して出力する。さらに、不正な抜き取りなどを防止するために、必要に応じて情報を暗号化して出力する。
【００４３】
次に、図６に破線で示す制御の流れについて説明する。制御回路６１１は、RF/IF６０１、復調６０２、誤り訂正６０３、デスクランブル６０４、デマルチプレクサ６０５、デコード６０７、印刷バッファ６０９との間で制御信号の授受を行う。また、入出力１および入出力２との間で制御信号の授受を行う。上記の制御信号により、受信装置が所望の動作を実行するように制御する。情報管理６１２は、制御回路６１１が各構成要素を制御するために必要となる情報を管理し、制御回路６１１との間で授受を行う。その内容は、チャンネルや番組の契約情報などである。
【００４４】
次に、印刷の制御について説明する。印刷するデータは、あらかじめ印刷用のデータとして伝送される場合と、伝送された映像情報の中からユーザが所望のシーンを選択する場合がある。前者の場合、印刷用のデータはデマルチプレクサ６０５により抽出され、コピー制御情報とあわせて印刷バッファ６０９へと蓄積される。制御回路６１１は、コマンド入力６１３からの入力に従い、印刷バッファ６０９に蓄積されたデータからユーザが所望のものを選択し、印刷装置７に出力する。後者の場合、常に現在時刻より一定時間前までの映像情報をコピー制御情報とあわせて印刷バッファ６０９に蓄積しておき、その映像からユーザ操作に従い所望のシーンを選択する。制御回路６１１は、選択されたシーンから印刷用データを生成し、印刷装置７に出力する。
【００４５】
印刷の制御は、表１もしくは表２もしくは表３に従い行う。表１および表２についての説明は前記と同様なので省略する。表３は、コピー制御情報の第３の実施例である。
【００４６】
【表３】
2005150987.tif 000005
【００４７】
コピー制御情報は、２ビットの情報で、「００」の時は「コピー可」を表し、「１０」の時は、「一世代コピー可」を表し、「０１」の時は、「再コピー禁止」、すなわち一世代のみコピーできる情報がコピーされたものであることを表し、「１１」の時は「コピー禁止」を表す。なお、「再コピー禁止」は、放送などの送信時には用いられない。ＣＣＩが「００」以外の時は、出力時に暗号化して伝送することにより、不正なコピーがなされた時に情報を保護する。ＥＰＮは、１ビットの情報で、この情報が「０」の時は、コピーの制限はないが、暗号化して伝送することを表す。これにより、正規の記録機器でのコピー以外の不正使用から情報を保護する。
【００４８】
「再コピー禁止」のコピー制御情報が付加されて伝送もしくは外部記録装置から入力されたデータは、印刷するデータの抽出をプリンタへの「移動」によって行うこともできる。本来なら「移動」後、元の映像に欠けが生じるが、「移動」は1分以内の映像データであれば移動元と移動先に同時に存在してもよいという規定があるので、映像はそのまま残しても良い。
【００４９】
「コピー禁止」「一世代コピー可」「コピー可」のコピー制御情報が付加されて伝送もしくは外部記録再生装置から入力されたデータについては、表１と同様の扱いとなるので、ここでの説明は省略する。
【００５０】
また、印刷装置４の制御回路８０５においてコピー制御情報を判断して印刷の可否を決定するのではなく、受信装置８の制御回路６１１において、印刷データに付加するコピー制御情報が印刷を許可しないものである場合には、印刷装置４に対して印刷用データを出力しないことにより、著作権に配慮した印刷の制御を行うこともできる。
【００５１】
この実施例により、コピー制御情報によってデジタル情報の印刷制御を行い、著作権を保護することができる。
【００５２】
次に、本発明に係る印刷データ選択処理を図面を用いて説明する。図１０は、印刷処理の流れを表すフローチャートである。まず、ステップ１０００において、受信装置８はユーザからの印刷起動操作に従い、印刷データ選択画面を起動する。印刷起動の操作は、例えばディスプレイにＯＳＤ（On Screen Display）表示としてメニュー項目を表示し、その中から「印刷」の項目を選択することで実現できるし、あるいは受信装置８本体もしくは受信装置８を操作するためのリモートコントローラが備える印刷ボタンを押下することで実現できる。
【００５３】
ステップ１００１では、受信装置８の制御回路６１１で抽出したコピー制御情報をもとに、印刷を行って良いか否かを識別する。印刷して良い場合には、ステップ１００３に進み、印刷を許可しない場合にはステップ１００２に進む。
【００５４】
ステップ１００２では、制御回路６１１によりディスプレイ５に対して印刷が制限されていることを意味するメッセージを表示し、印刷処理を終了する。
【００５５】
ステップ１００３では、コマンド入力６１３に対するユーザ操作に基づき、制御回路６１１において印刷するデータが印刷を目的として配信されたデータであるのか、あるいは映像データからユーザが所望のフレームを選択するものなのかをユーザに選択させる。これは、例えばＯＳＤ表示としていずれの印刷を所望するかを選択させるメッセージを表示し、この表示に対するユーザ操作をコマンド入力８０７から制御回路６１８へ通知し、制御回路６１８で処理することにより判断する。ここで、印刷を目的として配信されたデータである場合には、ステップ１００４に進む。ユーザが任意のフレームを選択する場合にはステップ１００５に進む。
【００５６】
ステップ１００４では、印刷バッファ６０９に複数の印刷を目的として配信されたデータが蓄積されている場合には、コマンド入力６１３に対するユーザ操作に従い、所望のデータを選択する。データの選択は、例えば図１２に示すような印刷用データ一覧画面１２０１を表示し、ユーザがリモートコントローラにより選択カーソル１２０２を移動させ、所望のデータに選択カーソルが重なった時点で決定を意味する操作を行うことで実現できる。さらには、データが配信された日付や時刻、配信されたチャンネルなどを表示し、これらの項目に沿ってデータを整列させることにより、所望のデータの選択を容易にすることができる。
【００５７】
ステップ１００５では、印刷バッファ６０９に蓄積されている一定時間の映像から、コマンド入力６１３に対するユーザ操作に基づき、印刷するフレームを選択する。この選択は、例えば図１１に示す印刷フレーム選択画面１１００をディスプレイに表示する。映像表示１１０１には印刷バッファ６０９に蓄積された映像データを再生表示する。ユーザは、表示される映像データを参照しながら、所望のフレームが表示されている時点で印刷予約１１０４もしくは印刷実行１１０５を実行することにより、印刷するフレームを選択することができる。印刷実行１１０５を実行した場合には、現在表示されているフレームをフレーム選択バッファに追加してステップ１００４に進み、印刷予約１１０４を実行した場合には、選択したフレームをフレーム選択バッファに追加し、印刷フレーム選択処理を継続する。複数の印刷予約がなされた後に印刷実行が選択された場合には、それまでに選択されたフレームをまとめて印刷する。
【００５８】
また、ユーザはフレーム選択のための操作として、コマ戻しボタン１１０６による映像１１０１のフレーム単位での逆再生、一時停止ボタン１１０７による映像の一時停止、コマ送りボタン１１０８によるフレーム単位での映像１１０１の進行、再生ボタン１１１０による映像１１０１の再生、早戻しボタン１１０９による映像の高速逆再生、早送りボタン１１１１による映像１１０１の高速再生を行うことができる。また、印刷バッファに蓄積されている映像の全体時間と、その中で映像１１０１が現在どの場所を表示しているかを提示するタイムバー１１０２において、現在位置表示バー１１０３を操作することにより所望の時刻の映像を簡単に選択することができる。
【００５９】
ステップ１００６では、制御回路６１１において、ステップ１００５で選択しフレーム選択バッファに蓄積された情報をもとに印刷用のデータを生成する。さらに、印刷用のデータを生成した後に、フレーム選択バッファに蓄積したデータを削除する。以上の処理により、ユーザが所望する印刷用データを選択することができる。
【００６０】
本発明に係る印刷装置の第２の実施例を図面を用いて説明する。入出回路７２では、伝送された情報からコピー制御情報を抽出して制御回路７５に送る。そして、制御回路では、コピー制御情報に応じて印刷を行うか行わないかの制御を行う。また、解像度の制限がある場合は印刷解像度を制限する。なお、暗号化されて伝送された場合には、入出力回路７２において暗号の復号を行う。制御回路７２において印刷を行うと判断した場合には、図７に示すフローチャートに従い印刷処理を行う。
【００６１】
ステップ７０１において、印刷回路７４は制御回路７５からの指示に従いバッファ７３から印刷データを読み出して印刷を実行する。また、印刷が正常に終了したか否かを制御回路に通知する。ステップ７０２では、印刷回路７４から通知された印刷結果を元に、印刷が正常に終了した場合には、ステップ７０３に進む。印刷が正常に終了しなかった場合には、ステップ７０１に戻り、再び印刷を実行する。ステップ７０３では、制御回路７５はバッファの印刷データを削除し、印刷を終了する。
【００６２】
本実施例によれば、印刷終了後に印刷装置のバッファを削除することにより、印刷装置から外部にデータが漏洩することを防止し、印刷データの著作権に配慮している。
【００６３】
なお、ステップ７０３における印刷データの削除は必ずしも行う必要はないが、その場合には、印刷装置に他のデジタル機器が接続される場合に印刷用データ不正なの抜き取りなどが行われないように配慮することが必要となる。
【実施例３】
【００６４】
本発明に係る印刷装置の第３の実施例を図８および図９をもって説明する。図８は、本実施例における印刷装置７の構成図である。入出力回路８０２では、伝送された情報からコピー制御情報を抽出して制御回路８０５に送る。そして、制御回路８０５では、コピー制御情報に応じて印刷を行うか行わないかの制御を行う。また、解像度の制限がある場合は印刷解像度を制限する。なお、暗号化されて伝送された場合には、入出力回路８０２において暗号の復号を行う。制御回路８０５において印刷を行うと判断した場合には、図９に示すフローチャートに従い印刷処理を行う。
【００６５】
入出力端子８０１から入力された印刷用データは、入出力回路８０２を介してバッファ８０３に書き込まれ、バッファ８０３から読み出されたデータは印刷回路８０４に送られて印刷される。また、印刷回路８０４は印刷が正常に終了したか否かを制御回路８０５に通知する。表示回路８０６では、印刷回路８０４での印刷が正常に行われたか否かの通知を受けた制御回路８０５からの指示に従い、ユーザに対する表示を行う。この表示は、例えば液晶画面を用いたメッセージ表示やＬＥＤ（Light Emitting Diode）を発光させることにより行うことができる。コマンド入力８０７は、例えば印刷装置７に設けたボタンなどであるコマンド入力端子８０８に対するユーザ入力を制御回路８０４に通知する。
【００６６】
図９は、本実施例における印刷制御の流れを表すフローチャートである。ステップ９０１において、印刷回路８０４は制御回路８０５からの指示に従ってプリンタバッファ８０３からデータを読み出して印刷を実行する。また、印刷が正常に終了したか否かを制御回路８０５に通知する。ステップ９０２では、制御回路８０５は印刷回路８０４からの通知に基づき印刷が正常に終了したか否かを判断する。印刷が正常に終了された場合には、ステップ９０３に進み、正常に終了されなかった場合にはステップ９０４に進む。ステップ９０３では、制御回路８０５はプリンタバッファ８０３の印刷用データを削除し、印刷処理を終了する。ステップ９０４では、プリンタバッファ８０３の印刷データを削除せずに、印刷が失敗したことを意味する表示を行うよう表示回路８０６へ指示を送る。これを受けた表示回路８０６は、印刷が失敗したことを通知する表示を行う。ステップ９０５は、印刷失敗を表す表示が行われ、ユーザがユーザ入力端子８０８に対して印刷の再実行を要求する入力をした場合には、プリンタバッファ８０３の印刷データの印刷を再度実行する。ユーザからの再印刷を意図する操作が無かった場合には、プリンタバッファ８０３の印刷データを削除して印刷を終了する。なお、印刷データの削除は必ずしも行う必要はないが、その場合には、印刷装置に他のデジタル機器が接続される場合には、印刷用データ不正なの抜き取りなどが行われないように配慮することが必要となる。以上の処理により、著作権の保護に配慮した印刷制御が可能となる。
【００６７】
本発明に係る印刷失敗時の受信装置および印刷装置における処理のうち、印刷中に異常が発生したことを、受信装置を用いてユーザに通知する実施例を図を用いて説明する。図１４は、本発明における印刷失敗時の処理の流れを表すフローチャートである。ステップ１５０１では、まず受信装置の入出力から印刷装置７に対して印刷用データを送出する。次に、印刷装置７は印刷用データを入出力７２を介してバッファ７３に蓄積した後に、印刷回路７４において印刷を実行する。
【００６８】
ステップ１５０２では、制御回路７５において印刷回路７４から印刷結果通知を受け、印刷が正常に終了したか、あるいは印刷中に異常が発生したかを判断する。ここで、印刷が正常に終了した場合には、そのまま処理を終了する。印刷中に異常が発生した場合には、ステップ１５０３に進む。
【００６９】
ステップ１５０３では、印刷装置７の制御回路７５から、入出力端子７０および入出力端子６０６を経由して、受信装置８の制御回路６１１に印刷が失敗したことを通知する。制御回路６１１は、例えば図１３の印刷失敗通知画面１４００のように、印刷失敗メッセージ１４０２を表示することにより、印刷が失敗したことをユーザに通知することができる。また、視聴中の映像１４０１のサイズを調節することにより、映像の視聴を妨げることなく印刷失敗メッセージを表示することができる。さらには、再印刷の要否を問い合わせる選択肢１４０３Ａおよび１４０３Ｂを表示して、これをユーザ選択させることにより、再印刷の要否を確認することができる。
【００７０】
ステップ１５０４では、ステップ１５０３において再印刷を行うか否かのどちらが選択されたかに基づき処理を分岐する。再印刷が必要無いとされた場合にはステップ１５０５に進み、再印刷を所望された場合にはステップ１５０６に進む。
【００７１】
ステップ１５０５では、受信装置８から印刷装置４に対して、印刷が完了したことを通知する。本通知を受けた印刷装置７は、プリンタバッファの情報を削除する。なお、必ずしもプリンタバッファから印刷用データ削除する必要はないが、その場合には、印刷装置に他のデジタル機器が接続される場合において印刷用データの不正な抜き取りなどが行われないように配慮する必要がある。
【００７２】
ステップ１５０６では、受信装置８から印刷装置４に対して、印刷の再実行を要求する通知を送る。本通知を受けた印刷装置７は、プリンタバッファに蓄積されている情報の再印刷を行う。
【００７３】
以上の処理により、印刷の失敗を受信装置によりユーザに通知し、かつ、印刷の再実行の要否をユーザ操作により選択することができる。
【００７４】
以上述べたように、本発明によれば、専用の制御情報あるいは方式を用いることなく、印刷許可の制御および不正な抜き取り防止を容易に実現することができる。
【００７５】
また、本発明は放送受信装置に限られず、コピー制御情報を用いる再生装置等の情報処理装置にも適用が可能である。
【図面の簡単な説明】
【００７６】
【図１】本発明の受信装置および印刷装置を適用するシステム全体のブロック図。
【図２】図１における情報提供局１の構成例を示すブロック図。
【図３】図１における受信装置３の構成例を示すブロック図。
【図４】図１における印刷装置７の構成例を示すブロック図。
【図５】本発明の受信装置および印刷装置を適用するシステム全体の第２の実施例におけるブロック図
【図６】図５における受信装置８の構成例を示すブロック図
【図７】本発明の印刷装置における印刷処理の流れを示すフローチャート図
【図８】本発明の第３の実施例における印刷装置７の構成例を示すブロック図
【図９】本発明の第３の実施例における印刷処理の流れを示すフローチャート図
【図１０】本発明における印刷データ選択処理の流れを示すフローチャート図
【図１１】本発明における印刷フレーム選択画面の例
【図１２】本発明における印刷用データ選択画面の例
【図１３】本発明における受信装置が表示する印刷失敗メッセージ画面の例
【図１４】本発明における印刷失敗時の処理の流れを表すフローチャート図
【符号の説明】
【００７７】
１・・・・・情報提供局
２・・・・・中継局
３・・・・・受信装置（情報出力装置）
４・・・・・第１の記録再生装置
５・・・・・ディスプレイ
６・・・・第２の記録再生装置
７・・・・印刷装置
７２・・・・入出力回路
７３・・・・バッファ
７４・・・・印刷回路
７５・・・・制御回路
３０１・・・ＲＦ／ＩＦ変換回路
３０２・・・復調回路
３０３・・・誤り訂正回路
３０４・・・デスクランブル回路
３０５・・・第１のデマルチプレクス回路
３０７・・・第２のデマルチプレクス回路
３０８・・・デコード回路
３１１・・・・制御回路
３１２・・・・情報管理回路
３１５Ａ・・・・第１の入出力回路
３１５Ｂ・・・・第２の入出力回路
８・・・・・受信装置
６０１・・・ＲＦ／ＩＦ変換回路
６０２・・・復調回路
６０３・・・誤り訂正回路
６０４・・・デスクランブル回路
６０５・・・デマルチプレクス回路
６０６・・・入出力端子
６０７・・・デコード回路
６０９・・・印刷バッファ
６１１・・・制御回路
６１３・・・コマンド入力回路
６１４・・・コマンド入出力端子
６１５Ａ・・第一の入出力回路
６１５Ｂ・・第二の入出力回路
８０１・・・入出力端子
８０２・・・入出力回路
８０３・・・バッファ
８０４・・・印刷回路
８０５・・・制御回路
８０６・・・表示回路
８０７・・・コマンド入力回路
８０８・・・コマンド入力端子
１１００・・フレーム選択画面
１１０１・・映像
１１０２・・タイムバー
１１０３・・現在位置表示バー
１１０４・・印刷予約
１１０５・・印刷実行
１１０６・・コマ戻しボタン
１１０７・・一時停止ボタン
１１０８・・コマ送りボタン
１１０９・・巻き戻しボタン
１１１０・・再生ボタン
１１１１・・早送りボタン
１２０１・・印刷用データ一覧画面
１２０２・・選択カーソル
１４００・・印刷失敗通知画面
１４０１・・映像
１４０２・・印刷失敗メッセージ
１４０３・・選択肢
【図１】
2005150987.tif 000006
【図２】
2005150987.tif 000007
【図３】
2005150987.tif 000008
【図４】
2005150987.tif 000009
【図５】
2005150987.tif 000010
【図６】
2005150987.tif 000011
【図７】
2005150987.tif 000012
【図８】
2005150987.tif 000013
【図９】
2005150987.tif 000014
【図１０】
2005150987.tif 000015
【図１１】
2005150987.tif 000016
【図１２】
2005150987.tif 000017
【図１３】
2005150987.tif 000018
【図１４】
2005150987.tif 000019